(57)【要約】【課題】２端子でＡＣアダプタと電子機器とを接続しても、電力供給線の端部における電圧および電流の変動を補正する。【解決手段】電源部１の正極端子は、内部抵抗７を介して端子Ｔ１と接続され、その負極端子は、抵抗３、内部抵抗８を介して端子Ｔ２と接続される。電流検出回路２では、出力される電流が検出され、計算回路５へ供給される。電圧検出回路４では、出力される電圧が検出され、計算回路５へ供給される。計算回路５では、電流ｉ１、ｉ２のときに、内部抵抗７、８を合成した抵抗値がそれぞれ算出され、算出された抵抗値ｒ１、ｒ２は、制御回路６へ供給される。制御回路６では、供給された抵抗値ｒ１、ｒ２が一致しているか否かが判断される。抵抗値ｒ１、ｒ２が略一致していると判断されると、電源部１から出力される電圧がそのまま継続して出力され、一致していないと判断されると、電源部１から出力される電圧が補正されて出力される。【選択図】    図１
2004343865.tif 000002
【特許請求の範囲】
【請求項１】
延設された電力供給線を電子機器に接続して電圧および電流を供給する電源供給装置において、
出力する電圧を検出する出力電圧検出手段と、
出力する電流を検出する出力電流検出手段と、
上記検出された電圧および電流から延設された電力供給線の内部抵抗値を算出する算出手段と、
上記算出された内部抵抗値に基づいて、所定の電圧となるように出力電圧を制御する制御手段と
を有することを特徴とする電源供給装置。
【請求項２】
上記制御手段では、
上記算出された内部抵抗値に基づいて、上記出力電圧を第１の電圧分高くするようにしたことを特徴とする請求項１に記載の電源供給装置。
【請求項３】
さらに、電子機器において、上記所定の電圧より第１の電圧分低い電圧が供給される上記出力電圧から検出されるときに、上記電子機器から信号を受信する信号受信手段を有し、
上記制御手段では、上記信号を受信すると、上記出力電圧を上記第１の電圧分高くするようにしたことを特徴とする請求項１に記載の電力供給装置。
【請求項４】
上記制御手段では、
上記電子機器から供給される信号が上記信号受信手段で検出されるまで、所定時間間隔で上記出力電圧を上記第１の電圧分のステップで順次高くするようにしたことを特徴とする請求項３に記載の電源供給装置。
【請求項５】
上記制御手段では、
上記出力電圧を高くしても上記電子機器から供給される信号が上記信号受信手段で検出されない場合、上記電子機器から供給される信号が上記信号受信手段で検出されるまで、所定時間間隔で上記出力電圧を上記第１の電圧分のステップで順次低くするようにしたことを特徴とする請求項３に記載の電源供給装置。
【請求項６】
上記出力電圧を所定時間間隔で上記所定の電圧より低くし、上記電子機器から供給される信号を上記信号受信手段で検出するようにしたことを特徴とする請求項３に記載の電源供給装置。
【請求項７】
延設された電力供給線を電子機器に接続して電圧および電流を供給する電源供給方法において、
出力する電圧を検出し、
出力する電流を検出し、
上記検出された電圧および電流から延設された電力供給線の内部抵抗値を算出し、
上記算出された内部抵抗値に基づいて、所定の電圧となるように出力電圧を制御する
ようにしたことを特徴とする電源供給方法。
【請求項８】
上記算出された内部抵抗値に基づいて、上記出力電圧を第１の電圧分高くするようにしたことを特徴とする請求項７に記載の電源供給方法。
【請求項９】
さらに、電子機器において、上記所定の電圧より第１の電圧分低い電圧が供給される上記出力電圧から検出されるときに、上記電子機器から信号を受信し、
上記信号を受信すると、上記出力電圧を上記第１の電圧分高くするようにしたことを特徴とする請求項７に記載の電力供給方法。
【請求項１０】
上記電子機器から供給される信号が検出されるまで、所定時間間隔で上記出力電圧を上記第１の電圧分のステップで順次高くするようにしたことを特徴とする請求項９に記載の電源供給方法。
【請求項１１】
上記出力電圧を高くしても上記電子機器から供給される信号が検出されない場合、上記電子機器から供給される信号が検出されるまで、所定時間間隔で上記出力電圧を上記第１の電圧分のステップで順次低くするようにしたことを特徴とする請求項９に記載の電源供給方法。
【請求項１２】
上記出力電圧を所定時間間隔で上記所定の電圧より低くし、上記電子機器から供給される信号を検出するようにしたことを特徴とする請求項９に記載の電源供給方法。
【発明の詳細な説明】
【０００１】
【発明の属する技術分野】
この発明は、延設されている電力供給線の内部抵抗が変化しても所定の電圧および電流を電子機器に供給する電源供給装置および電源供給方法に関する。
【０００２】
【従来の技術】
現在、様々な電子機器には、繰り返し充電することが可能な二次電池が使用されている。この二次電池を充電するとき、該二次電池の充電特性と一致した電圧および電流が、例えばＡＣ（Ａｌｔｅｒｎａｔｉｎｇ  Ｃｕｒｒｅｎｔ）アダプタから供給される。二次電池によっては、充電特性と一致していない電圧および電流がＡＣアダプタから供給されると、二次電池を破損するおそれがある。
【０００３】
ＡＣアダプタには、電子機器と接続するための電力供給線が設けられている場合がある。この電力供給線は、所定のインピーダンス（以下、「内部抵抗」と称する）を持つため、電子機器と接続する電力供給線の出力端子では、該内部抵抗による電圧降下によって所定の電圧より低くなる。そこで、電力供給線の出力端子において、所定の電圧となるように、該内部抵抗による電圧降下を補正するようにしている。
【０００４】
例えば、電源装置２の出力電圧Ｖｏは負荷電流Ｉｏの増加（または減少）に対応して高く（または低く）なる結果、負荷電流Ｉｏが大きい場合は、負荷ＲＬに接続される直列の抵抗分Ｒｗによる電圧降下が大きくなるため、出力電圧補正回路４により電源装置本体２の出力電圧Ｖｏが高められるとともに、負荷電流Ｉｏが小さい場合は、抵抗分Ｒｗによる電圧降下が小さくなるため、出力電圧補正回路４により出力電圧Ｖｏが低くなるように電圧降下分が補正され、これにより、負荷電流Ｉｏが増減しても負荷ＲＬに対する印加電圧Ｖｍを略一定に維持するようにしたものもある（例えば、特許文献１参照。）。
【０００５】
【特許文献１】
特開平７−１０４８７０号公報
【０００６】
なお、電子機器がＡＣアダプタに接続されると、ＡＣアダプタを小電力で動作させ、供給された小電力で生成したコード信号（電圧）を電子機器からＡＣアダプタへ送信し、該コード信号からＡＣアダプタと正しい対応関係の電子機器か否かを判断し、正しい対応関係の電子機器であると判断されると、大電力を電子機器へ出力するようにしたものもある（例えば、特許文献２参照。）。
【０００７】
【特許文献２】
特開平１１−１２２８０９号公報
【０００８】
【発明が解決しようとする課題】
しかしながら、特許文献１のように、予め電圧降下分が補正されていても、ＡＣアダプタを使用することによって、電力供給線が劣化し、内部抵抗が高くなった場合や、ＡＣアダプタに使用されている素子が劣化し、所定の電圧および電流とは異なる電圧および電流を出力するような場合には、補正が正しくなされたＡＣアダプタから電子機器へ所定の電圧および電流を供給することはできなかった。
【０００９】
特に、複数の細い電線から構成される電力供給線は、ユーザに使用されることによって、ねじれたり、伸ばされたりするため、細い電線が切断されるので、内部抵抗が高くなる。すなわち、ＡＣアダプタを使用することによって、延設されている電力供給線の内部抵抗が高くなり、電圧降下によって電子機器へ供給する電圧が低くなる問題があった。
【００１０】
また、特許文献２のように、電子機器とＡＣアダプタとが接続されたときに、コード信号を電子機器からＡＣアダプタへ送信するようにしていても、ＡＣアダプタから電子機器へ大電力が出力されている間に、ＡＣアダプタと電子機器との間で信号の送受信を行うためには、信号を伝送するための専用線を設ける必要があった。
【００１１】
例えば、図２３に示すように、ＡＣアダプタ側に切り替え回路１０１および電圧検出回路１０２が設けられ、電子機器側に通信回路１０３および電圧検出回路１０４が設けられている。ＡＣアダプタおよび電子機器は、端子１０５、１０６、１０７の３つの端子で接続され、端子１０６を介して相互に通信をすることができる。
【００１２】
このように、信号を送信または送受信するための専用線を設けた３端子であれば、ＡＣアダプタから出力される電圧および電流の値を補正することも可能であるが、ＡＣアダプタは２端子のタイプが多いため方式が異なるという問題と、さらに端子が１つ増えるため高価になるという問題があった。
【００１３】
従って、この発明の目的は、２端子でＡＣアダプタと電子機器とを接続しても、電力供給線の出力端子における電圧および電流の変動を補正することができる電源供給装置および電源供給方法を提供することにある。
【００１４】
【課題を解決するための手段】
上述した課題を達成するために請求項１の発明は、延設された電力供給線を電子機器に接続して電圧および電流を供給する電源供給装置において、出力する電圧を検出する出力電圧検出手段と、出力する電流を検出する出力電流検出手段と、検出された電圧および電流から延設された電力供給線の内部抵抗値を算出する算出手段と、算出された内部抵抗値に基づいて、所定の電圧となるように出力電圧を制御する制御手段とを有することを特徴とする電源供給装置である。
【００１５】
請求項７の発明は、延設された電力供給線を電子機器に接続して電圧および電流を供給する電源供給方法において、出力する電圧を検出し、出力する電流を検出し、検出された電圧および電流から延設された電力供給線の内部抵抗値を算出し、算出された内部抵抗値に基づいて、所定の電圧となるように出力電圧を制御するようにしたことを特徴とする電源供給方法である。
【００１６】
このように、ＡＣアダプタから延設される電力供給線の内部抵抗が変化しても、内部抵抗に基づいて所定の電圧を補正することができるので、所定の電圧を常に電子機器へ供給できる。
【００１７】
【発明の実施の形態】
以下、この発明の実施形態について図面を参照して説明する。まず、この発明の理解を容易とするために、図１を用いて、この発明の概要を説明する。一例として、図１に二次電池を充電するときにＡＣアダプタから出力される電圧および電流の特性図を示す。特性Ａ１となるような電圧および電流がＡＣアダプタの電力供給線の出力端子から出力される。二次電池の一例として、リチウム・イオン二次電池やポリマー・リチウム二次電池といった非水系二次電池が用いられている。この非水系二次電池は、まず定電流で充電された後、定電圧且つ微少電流で充電する。図１は、この充電時の電圧電流の特性図である。
【００１８】
ここで、一例として、電力供給線の劣化により電力供給線の内部抵抗が高くなると、その出力端子では、特性Ａ２となる。すなわち、ＡＣアダプタから出力される最大電流付近、例えば電流ｉ２（以下、「最大電流ｉ２」と称する）のときに出力される電圧が、本来出力されるべき電圧（以下、「基準電圧」と称する）ｖ１からΔｖ低い電圧ｖ２となる。そこで、この実施形態では、電力供給線の出力端子において、電圧および電流の特性が特性Ａ２となる場合、ＡＣアダプタから出力される電圧および電流を特性Ａ３とすることによって、電力供給線の出力端子において、特性Ａ１となる電圧および電流を供給する。
【００１９】
図２のブロック図を参照して、この発明が適用された第１の実施形態を説明する。この図２では、ＡＣアダプタ側は、電源部１、電流検出回路２、抵抗３、電圧検出回路４、計算回路５、制御回路６から構成され、さらにＡＣアダプタから延設される電力供給線の内部抵抗７、および８が設けられている。また、電子機器側は、電圧検出回路１１、スイッチ回路１２、電流検出回路、１３、抵抗１４、および電子機器の負荷（以下、「セット負荷」と称する）１５から構成される。このセット負荷１５には、少なくとも二次電池が含まれる。
【００２０】
電源部１は、制御回路６によって出力する電圧および電流を可変することができる。電源部１の正極端子は、内部抵抗７を介して端子Ｔ１と接続され、その負極端子は、抵抗３および内部抵抗８を介して端子Ｔ２と接続される。なお、内部抵抗７および８は、ＡＣアダプタから延設されている電力供給線の内部抵抗を示し、端子Ｔ１およびＴ２は、ＡＣアダプタから延設されている電力供給線の出力端子を示す。
【００２１】
電流検出回路２は、抵抗３の両端および電源部１の正極端子と接続される。この電流検出回路２では、端子Ｔ１およびＴ２から出力される電流が検出され、検出された電流は、計算回路５へ供給される。
【００２２】
電圧検出回路４は、電源部１の正極端子と、抵抗３および内部抵抗８の接続点と接続される。この電圧検出回路４では、端子Ｔ１およびＴ２から出力される電圧が検出され、検出された電圧は、計算回路５へ供給される。
【００２３】
計算回路５では、一例として図１に示す電流ｉ１およびｉ２のときに、内部抵抗７および８を合成した抵抗値がそれぞれ算出される。計算回路５において、小電流の電流ｉ１のときに算出される抵抗値ｒ１は、内部抵抗７および８の値が変化しても、電圧降下の影響を最も抑えて、本来の内部抵抗７および８の値と略同等の値として算出される。また、計算回路５において、最大電流ｉ２のときに算出される抵抗値ｒ２は、内部抵抗７および８の値が変化したときに、電圧降下の影響を最も反映した値として算出される。算出された抵抗値ｒ１およびｒ２は、制御回路６へ供給される。
【００２４】
制御回路６では、供給された抵抗値ｒ１およびｒ２が一致しているか否かが判断される。抵抗値ｒ１およびｒ２が略一致していると判断されると、電源部１から出力される電圧がそのまま継続して出力される。また、抵抗値ｒ１およびｒ２が一致していないと判断されると、電源部１から出力される電圧が、例えば図１に示す特性Ａ３となるように補正されて出力される。
【００２５】
そして、電子機器では、端子Ｔ１およびＴ２との間に、電圧検出回路１１が設けられ、供給される電圧が検出される。端子Ｔ１およびＴ２との間に、スイッチ回路１２、セット負荷１５、および抵抗１４が設けられる。電流検出回路１３は、抵抗１４の両端と、スイッチ回路１２およびセット負荷１５との接続点とに接続される。この電流検出回路１３では、セット負荷１５に供給される電流が検出される。
【００２６】
電流検出回路１３では、例えば最大電流ｉ２が検出されると、電圧検出回路１１へ信号が供給される。電流検出回路１３から信号が供給される電圧検出回路１１では、例えば電圧ｖ２が検出されると、スイッチ回路１２をオフとするための制御信号がスイッチ回路１２へ供給される。
【００２７】
なお、電圧検出回路１１では、電流検出回路１３からの信号に関わらず、例えば電圧ｖ２が検出されると、スイッチ回路１２をオフとするための制御信号がスイッチ回路１２へ供給されるようにしても良い。
【００２８】
このように、ＡＣアダプタから延設されている電力供給線が劣化することによって、電力供給線の内部抵抗７および８の値が高くなると、端子Ｔ１およびＴ２から出力される電圧が低下する。この端子Ｔ１およびＴ２から出力される電圧の低下を検出し、その出力を所定の電圧となるように補正することができる。
【００２９】
図３のブロック図を参照して、この発明が適用された第２の実施形態を説明する。この第２の実施形態では、ＡＣアダプタから供給される電圧が電子機器側において、基準電圧から電圧Ｖｒ低い電圧ｖ２であることが電子機器からＡＣアダプタへ送信されるものである。また、この図３に示す第２の実施形態では、説明を容易とするために、ＡＣアダプタから延設される電力供給線の内部抵抗７および８を端子Ｔ１側に示しているが、上述した端子Ｔ１側に内部抵抗７を示し、端子Ｔ２側に内部抵抗８を示しているものと等価なものである。
【００３０】
電源部１の正極端子と、端子Ｔ１との間に、電流検出回路２１、内部抵抗７および８が直列に設けられる。電源部１の負極端子は、端子Ｔ２と接続される。
【００３１】
電流検出回路２１では、端子Ｔ１およびＴ２から出力される電流が検出される。検出された電流は、電流検出回路２１から電圧検出回路２２、信号処理回路２３、および計算回路２４へそれぞれ供給される。
【００３２】
電圧検出回路２２は、電流検出回路２１および内部抵抗７の接続点と、端子Ｔ２と接続される。この電圧検出回路２２では、端子Ｔ１およびＴ２から出力される電圧が検出され、検出された電圧は計算回路２４へ供給される。なお、電圧検出回路２２では、供給される電流が電流ｉ１およびｉ２になるときにのみ電圧を検出し、検出した電圧を計算回路２４へ供給するようにしても良い。
【００３３】
信号受信回路２３では、後述するように端子Ｔ１およびＴ２を介して接続される電子機器から送信される信号が受信される。このとき、電子機器側では、基準電圧ｖ１から電圧Ｖｒ低い電圧ｖ２が検出されると、信号を生成し、ＡＣアダプタへ送信するので、該信号を受信することによって、ＡＣアダプタから供給される電圧が電子機器側では、電圧ｖ２となっていると判断することができる。該信号が信号受信回路２３において受信されると、信号受信回路２３から計算回路２４へ信号が供給される。
【００３４】
計算回路２４では、例えば図４に示す電流ｉ１およびｉ２のときに、内部抵抗７および８を合成した抵抗値がそれぞれ算出される。計算回路２４において、小電流の電流ｉ１のときに算出される抵抗値ｒ１は、内部抵抗７および８の値が変化しても、電圧降下の影響を最も抑えて、本来の内部抵抗７および８の値と略同等の値として算出される。また、計算回路２４において、最大電流ｉ２のときに算出される抵抗値ｒ２は、内部抵抗７および８の値が変化したときに、電圧降下の影響を最も反映した値として算出される。算出された抵抗値ｒ１およびｒ２は、制御回路６へ供給される。
【００３５】
また、信号受信回路２３から信号が供給されると、電子機器において、ＡＣアダプタから供給される電圧が電圧ｖ２となっていると判断することができるので、計算回路２３では、電圧検出回路２２から供給される電圧Ｖｄおよび電圧ｖ２の差と、電流検出回路２１から供給される電流Ｉｄとから電力供給線の内部抵抗の値が算出される。
（Ｖｄ−ｖ２）／Ｉｄ＝ｒ１＋ｒ２            式（１）
【００３６】
制御回路２５は、電圧検出回路２２から供給される電圧Ｖｄと、電圧ｖ２とから補正すべき電圧Ｖｒを判断し、電子機器側においてＡＣアダプタから供給される電圧を基準電圧ｖ１とするように、電源部１を制御する。
Ｖｄ−ｖ２＝Ｖｒ            式（２）
【００３７】
そして、電子機器では、端子Ｔ１およびＴ２との間に、電圧検出回路２６が設けられ、また端子Ｔ１およびＴ２との間に、スイッチ回路２８およびセット負荷１５が設けられる。電圧検出回路２６では、ＡＣアダプタから供給される電圧が検出される。検出された電圧は、電圧検出回路２６から制御回路２７へ供給される。
【００３８】
制御回路２７では、電圧検出回路２６から供給された電圧が、例えば図４に示す電圧ｖ２になると、スイッチ回路２８へ制御信号が供給される。制御回路２７から供給される制御信号に応じてスイッチ回路２８が所定時間オフとされ、図５Ａに示すような信号が電流で生成される。生成された信号は、ＡＣアダプタへ送信され、電流検出回路２１を介して信号受信回路２３で検出される。
【００３９】
また、点線で示す電流制御回路２９を設けることによって、例えば図５Ｂに示すような信号を生成するようにしても良い。例えば、電圧検出回路２６において、電圧ｖ２が検出されると、制御回路２７から電流制御回路２９へ制御信号が供給される。制御回路２７から供給された制御信号に応じて電流制御回路２９では、所定時間電流の値を変化させ、図５Ｂに示すような信号が生成される。生成された信号は、ＡＣアダプタへ送信され、電流検出回路２１を介して信号受信回路２３で検出される。
【００４０】
図６のフローチャートを参照して、この第２の実施形態の制御を説明する。ステップＳ１では、ＡＣアダプタと電子機器とが接続され、ＡＣアダプタから電子機器へ電源が供給される。ステップＳ２では、電流検出回路２１において、電流が検出される。ステップＳ３では、検出された電流が電流ｉ１以上か否かが判断される。検出された電流が電流ｉ１以上であると判断されると、ステップＳ４へ制御が移り、検出された電流が電流ｉ１未満であると判断されると、ステップＳ２へ制御が戻る。
【００４１】
ステップＳ４では、電圧検出回路２６において、ＡＣアダプタから供給される電圧が検出される。ステップＳ５では、検出された電圧が電圧ｖ２以下か否かが判断される。検出された電圧が電圧ｖ２以下であると判断されると、ステップＳ６へ制御が移り、検出された電圧が電圧ｖ２を超えていると判断されると、ステップＳ４へ制御が戻る。
【００４２】
ステップＳ６では、制御回路２７の制御によって、スイッチ回路２８または電流制御回路２９で信号が生成され、電子機器からＡＣアダプタへ送信される。ステップＳ７では、電流検出回路２１において、電流が検出される。ステップＳ８では、検出された電流は、信号受信回路２３へ供給され、信号受信回路２３において、電子機器からの信号を受信したか否かが検出される。電子機器からの信号を受信したと判断されると、ステップＳ９へ制御が移り、電子機器からの信号を受信していないと判断されると、ステップＳ７へ制御が戻る。
【００４３】
ステップＳ９では、計算回路２４において、上述の式（１）が算出される。ステップＳ１０では、制御回路２５において、上述の式（２）に基づいて電源部１が制御され、補正された電圧がＡＣアダプタから電子機器へ供給される。
【００４４】
図７の特性図を参照して、この発明が適用された第３の実施形態を説明する。この第３の実施形態は、例えばＡＣアダプタから供給される電圧が電圧ｖ２以下となっても、電子機器から信号が送信されない場合、ＡＣアダプタから供給する電圧を高くするようにしたものである。このとき、この第３の実施形態では、ＡＣアダプタから出力される電圧を、例えば電圧Ｖｒずつ補正して高くし、電子機器から信号を出力させるようにする。例えば、特性Ａ４に示すようにＡＣアダプタから出力する電圧を高くする。
【００４５】
図８のブロック図を参照して、この第３の実施形態を説明する。電流検出回路２１では、ＡＣアダプタから出力される電流が検出され、検出された電流Ｉｄは、電圧検出回路２２、信号受信・計算回路３１、および制御回路３２へ供給される。電圧検出回路２２では、出力される電圧が検出され、検出された電圧は、信号受信・計算回路３１へ供給される。
【００４６】
信号受信・計算回路３１では、電流検出回路２１から供給された電流Ｉｄから信号が検出される。信号が検出されると、信号受信・計算回路３１から制御回路３２へ信号が供給される。また、信号受信・計算回路３１では、上述と同様に電流検出回路２１から供給された電流Ｉｄと、電圧検出回路２２から供給された電圧とに基づいて、ＡＣアダプタから延設される電力供給線の内部抵抗ｒ１およびｒ２の値が算出される。
【００４７】
制御回路３２では、電流検出回路２１で検出される電流が電子機器から信号が供給される電流値になっても、信号を受信しない場合、ＡＣアダプタから出力する電圧が、電子機器からの信号を受信するまで電圧Ｖｒずつ高く補正される。
【００４８】
この第３の実施形態を電子機器に内蔵される充電器に適用した場合、定電圧制御になってから、最大電流ｉ２のときの電圧を充電電圧に近い電圧にすることができる。
【００４９】
また、この第３の実施形態をＡＣアダプタに適用した場合、出力する電圧のバラツキを抑えることができ、出力する電圧を、必要最小限の電圧に設定することができる。さらに、電子機器に内蔵される充電回路の発熱を抑えることができるので、充電回路の小型化を図ることができる。
【００５０】
この第３の実施形態では、ＡＣアダプタから出力する電圧を、図９中実線で示すように所定時間間隔毎にデジタル的に電圧を高くするようにしているが、図９中破線で示すようにアナログ的にＡＣアダプタから出力する電圧を高くするようにしても良い。
【００５１】
図１０のフローチャートを参照して、この第３の実施形態を説明する。ステップＳ１１では、ＡＣアダプタが動作する。ステップＳ１２では、電流検出回路２１で電流が検出される。ステップＳ１３では、検出された電流が電子機器から信号が供給されるように、規定された電流か否かが判断される。検出された電流が規定された電流であると判断されると、ステップＳ１４へ制御が移り、検出された電流が規定された電流ではないと判断されると、ステップＳ１２へ制御が戻る。
【００５２】
ステップＳ１４では、信号受信・計算回路３１で信号が受信される。ステップＳ１５では、信号受信・計算回路３１で信号が受信されたと判断されると、ステップＳ１７へ制御が移り、信号受信・計算回路３１で信号が受信されなかったと判断されると、ステップＳ１６へ制御が移る。ステップＳ１６では、図９に示すように、電圧Ｖｒずつ出力する電圧が高くなるように補正される。そして、ステップＳ１４へ制御が戻る。ステップＳ１７では、上述した図６に示すフローチャートが呼び出される。呼び出されたフローチャートの制御が終了すると、このステップＳ１７からステップＳ１２へ制御が戻る。
【００５３】
図１１および図１２の特性図を参照して、この第３の実施形態の他の例を説明する。電流検出回路２１で検出される電流が例えば、図１１に示す電流ｉ３のときに、電子機器から送信される信号を信号受信・計算回路３１で受信した場合、電流ｉ３のときに、電圧検出回路２６では、基準電圧ｖ１より電圧Ｖｒ低い電圧ｖ２が検出されたことになる。
【００５４】
このように、ＡＣアダプタから出力する電流が小さい値なのに、電子機器からの信号を受信する場合、図１２に示すように、ＡＣアダプタから出力する電圧を、例えば電圧Ｖｒずつ補正して低くする。そして、電子機器からの信号を受信しなくなる時点で、ＡＣアダプタから出力する電圧を低くすることを停止し、その時の電圧を電子機器へ供給する。
【００５５】
このように、ＡＣアダプタから出力される電圧が高い出力になる場合、電流の大きさに関係なく電子機器から信号が送信される。そこで、図１２に示すように、ＡＣアダプタから出力する電圧を低くする。
【００５６】
なお、ＡＣアダプタから出力する電圧を、図１２中実線で示すように所定時間間隔毎にデジタル的に電圧を低くするようにしているが、図１２中破線で示すようにアナログ的にＡＣアダプタから出力する電圧を低くするようにしても良い。
【００５７】
図１３および図１４を参照して、この発明が適用された第４の実施形態を説明する。この第４の実施形態では、ＡＣアダプタから出力する電圧を図１３に示すように、所定時間毎に変化させる。このように、所定時間毎にＡＣアダプタから電子機器へ供給する電圧を低くすることによって、電子機器から信号が送信されていることを確認する。
【００５８】
もし、所定時間のときの低い電圧がＡＣアダプタから出力されているときに、電子機器から信号が送信されない場合、電子機器の電圧検出回路２６で検出される電圧が電圧ｖ２より低いと判断し、図１４に示すように、現在ＡＣアダプタから出力している電圧から電圧Ｖｒ高い電圧が電子機器へ供給される。
【００５９】
なお、図１４中の電流ｉ４以上の電流がＡＣアダプタから出力されているときに、図１３に示すようにＡＣアダプタから出力される電圧を変化させることができる。
【００６０】
ここで、図１５のフローチャートを参照して、この第４の実施形態を説明する。ステップＳ２１では、ＡＣアダプタと電子機器とが接続され、ＡＣアダプタから電子機器へ電源が供給される。ステップＳ２２では、電流検出回路２１でＡＣアダプタから出力される電流が検出される。
【００６１】
ステップＳ２３では、検出された電流が設定された電流ｉ４以上か否かが判断される。検出された電流が電流ｉ４以上であると判断されると、ステップＳ２４へ制御が移り、検出された電流が電流ｉ４未満であると判断されると、ステップＳ２２へ制御が戻る。
【００６２】
ステップＳ２４では、タイマ動作が開始される。ステップＳ２５では、所定時間に到達したか否かが判断される。所定時間に到達したと判断されると、ステップＳ２６へ制御が移り、未だ所定時間に到達していないと判断されると、ステップＳ２４へ制御が戻る。
【００６３】
ステップＳ２６では、信号受信・計算回路３１で信号が受信される。ステップＳ２７では、信号受信・計算回路３１で信号が受信されたと判断されると、ステップＳ２４へ制御が移り、信号受信・計算回路３１で信号が受信されなかったと判断されると、ステップＳ２８へ制御が移る。ステップＳ２８では、図９に示すように、電圧Ｖｒずつ出力する電圧が高くなるように補正される。そして、ステップＳ２２へ制御が戻る。
【００６４】
図１６の特性図を参照して、この発明が適用された第５の実施形態を説明する。この第５の実施形態では、電力供給線の内部抵抗を検出する電流を、ＡＣアダプタから出力される最大電流ｉ２ではなく、最大電流ｉ２と比較すると低い電流ｉ５で検出するようにしたものである。
【００６５】
そして、電流ｉ５で検出した値に基づいて、最大電流ｉ２のときを想定して補正が行われる。電力供給線の内部抵抗の値は、電流によって変化することはないので、例えば式（３）から電圧Ｖｒ２の電圧を算出することができ、ＡＣアダプタから出力する電圧を補正することができる。
Ｖｒ５／ｉ５  ＝  Ｖｒ２／ｉ２  ＝  ｒ１＋ｒ２            式（３）
【００６６】
一例として、電流ｉ５＝０．５Ａのときの電圧Ｖｒ５を０．５Ｖとしたとき、電流ｉ２＝１Ａであれば、電圧Ｖｒ２＝１．０Ｖとなる。
【００６７】
なお、電流ｉ５は、最大電流ｉ２との差が大きくなるに従って、電圧が小さくなるため、最大電流ｉ２との差が小さくなるところに設定する方が良い。
【００６８】
また、電圧検出回路２２で検出される電圧Ｖ２２と、電圧検出回路２６で検出される電圧Ｖ２６とから式（４）のように、電圧Ｖｒ５を算出することもできる。
（Ｖ２２−Ｖ２６）＝Ｖｒ５            式（５）
【００６９】
図１７の回路図を参照して、上述の実施形態が適用されるＡＣアダプタから出力する電圧を変化させる一例について説明する。トランス４１の１次巻き線４１ａには、図示しないが整流され、制御された商用電源が供給される。この１次巻き線４１ａには、デューティ比に基づいた電流が供給され、２次巻き線４１ｂに誘起電圧が発生する。２次巻き線４１ｂには、出力される誘起電力を整流するためのダイオード４２およびコンデンサ４３が接続される。
【００７０】
２次巻き線４１ｂおよびコンデンサ４３の接続点から、ＡＣアダプタから出力される電圧の基準となるコールドラインＬｃが導出される。また、ダイオード４２およびコンデンサ４３の接続点から、コールドラインＬｃから所定の電位差となるホットラインＬｈが導出される。
【００７１】
ホットラインＬｈとコールドラインＬｃとの間に、抵抗４４および４５が直列に挿入されている。演算増幅回路４６の一方の入力端子は、抵抗４４および４５の接続点と接続され、その他方の入力端子は、定電圧ダイオード４７のカソードと接続される。演算増幅回路４６の出力は、制御帰還回路５４へ供給される。定電圧ダイオード４７のアノードは、コールドラインＬｃと接続される。
【００７２】
この演算増幅回路４６では、ＡＣアダプタから出力される電圧を定電圧にするための信号が検出される。一例として、図１８Ｂに演算増幅回路４６から出力される信号を示す。
【００７３】
コールドラインＬｃ中に抵抗４８が挿入されている。演算増幅回路４９の２つの入力端子は、抵抗４８の両端と接続される。演算増幅回路４９の出力は、制御帰還回路５４へ供給される。
【００７４】
この演算増幅回路４９では、ＡＣアダプタから出力される電流を定電流にするための信号が検出される。一例として、図１８Ｃに演算増幅回路４９から出力される信号を示す。
【００７５】
抵抗５０および５１は、抵抗４８と並列になるように設けられる。演算増幅回路５２の２つの入力端子は、抵抗５１の両端と接続される。演算増幅回路５２の出力端子は、抵抗５３を介して抵抗４４および４５の接続点と接続される。
【００７６】
この演算増幅回路５２では、検出される電流に基づいて補正する電圧が検出される。すなわち、演算増幅回路５２では、電力供給線の内部抵抗が変化すると、補正する電圧の大きさを変えるための信号が出力される。一例として、図１８Ｄに演算増幅回路５２から出力される信号を示す。
【００７７】
なお、図１８Ａには、ＡＣアダプタから出力される電圧および電流を示し、図１９Ｅには、制御帰還回路５４から出力される信号を示す。この図１９Ｅに示す信号に基づいて１次巻き線４１ａに供給されるデューティ比が制御される。
【００７８】
図１９の回路図を参照して、この実施形態に適用されるＡＣアダプタから出力する電圧をデジタル的に変化させる第１の例について説明する。ホットラインＬｈとコールドラインＬｃとの間に、抵抗６１、６２、６３、および６４が直列に挿入される。定電圧ダイオード４７のカソードは、抵抗６１および６２の接続点と接続される。
【００７９】
スイッチ回路６５の端子６５ａは、抵抗６１および６２の接続点と接続される。スイッチ回路６５の端子６５ｂは、抵抗６２および６３の接続点と接続される。スイッチ回路６５の端子６５ｃは、抵抗６３および６４の接続点と接続される。スイッチ回路６５の出力端子は、演算増幅回路４６の他方の入力端子と接続される。
【００８０】
このスイッチ回路６５は、制御回路６６によって制御され、端子６５ａ、６５ｂ、および６５ｃの何れか１つが選択される。演算増幅回路４６の出力端子は、抵抗６７を介してコールドラインＬｃと接続されると共に、制御帰還回路５４と接続される。
【００８１】
図２０の回路図を参照して、この実施形態に適用されるＡＣアダプタから出力する電圧をデジタル的に変化させる第２の例について説明する。演算増幅回路４６の出力端子とコールドラインＬｃとの間に、抵抗７１、７２、７３、および７４が直列に挿入される。
【００８２】
スイッチ回路７５の端子７５ａは、演算増幅回路４６の出力端子と接続される。スイッチ回路７５の端子７５ｂは、抵抗７１および７２の接続点と接続される。スイッチ回路７５の端子７５ｃは、抵抗７２および７３の接続点と接続される。スイッチ回路７５の端子７５ｄは、抵抗７３および７４の接続点と接続される。スイッチ回路７５の出力端子は、制御帰還回路５４と接続される。
【００８３】
このスイッチ回路７５は、制御回路７６によって制御され、端子７５ａ、７５ｂ、７５ｃ、および７５ｄの何れか１つが選択される。
【００８４】
このように、制御回路６６および７６でスイッチ回路６５および７５を切り替えることによって、図９中および図１２中実線で示すように、デジタル的にＡＣアダプタから出力される電圧を変化させることができる。この図１９および図２０に示す第１および第２の例では、スイッチ回路６５および７５を切り替える方向によって、ＡＣアダプタから出力する電圧を高くすること、および低くすることも可能である。
【００８５】
図２１の回路図を参照して、この実施形態に適用されるＡＣアダプタから出力する電圧をアナログ的に変化させる第１の例について説明する。ＮＰＮ型のトランジスタ８２のコレクタは、抵抗４４および８１を介してホットラインＬｈと接続される。トランジスタ８２のエミッタは、抵抗８３を介してコールドラインＬｃと接続される。トランジスタ８２のベースは、制御回路８４と接続される。
【００８６】
このように、制御回路８４でトランジスタ８２を制御することによって、図９中破線で示すように、アナログ的にＡＣアダプタから出力される電圧を変化させることができる。
【００８７】
図２２の回路図を参照して、この実施形態に適用されるＡＣアダプタから出力する電圧をアナログ的に変化させる第２の例について説明する。ＰＮＰ型のトランジスタ９２のエミッタは、抵抗９１を介してホットラインＬｈと接続される。トランジスタ９２のコレクタは、抵抗９３を介して演算増幅回路４６の一方の入力端子と接続される。トランジスタ９２のベースは、制御回路９４と接続される。
【００８８】
このように、制御回路９４でトランジスタ９２を制御することによって、図１２中破線で示すように、アナログ的にＡＣアダプタから出力される電圧を変化させることができる。
【００８９】
この発明は、上述したこの発明の一実施形態等に限定されるものではなく、この発明の要旨を逸脱しない範囲内で様々な変形や応用が可能である。
【００９０】
【発明の効果】
この発明に依れば、ＡＣアダプタを使用している間に、ＡＣアダプタから延設される電力供給線の内部抵抗が変化しても、所定の電圧を電子機器に提供することができる。
【００９１】
また、この発明に依れば、ＡＣアダプタを構成する素子のバラツキや、製造時のバラツキがあっても、所定の電圧を電子機器に提供することができる。
【００９２】
また、この発明に依れば、ＡＣアダプタと電子機器とを接続している部分の接触抵抗が高くなり、電子機器に供給される電圧が低くなっている場合であっても、所定の電圧を供給することができる。
【図面の簡単な説明】
【図１】この発明について説明するための特性図である。
【図２】この発明が適用された第１の実施形態について説明するためのブロック図である。
【図３】この発明が適用された第２の実施形態について説明するためのブロック図である。
【図４】この発明が適用された第２の実施形態について説明するための特性図である。
【図５】この発明が適用された第２の実施形態について説明するための略線図である。
【図６】この発明が適用された第２の実施形態について説明するためのフローチャートである。
【図７】この発明が適用された第３の実施形態について説明するための特性図である。
【図８】この発明が適用された第３の実施形態について説明するためのブロック図である。
【図９】この発明が適用された第３の実施形態について説明するための特性図である。
【図１０】この発明が適用された第３の実施形態について説明するためのフローチャートである。
【図１１】この発明が適用された第３の実施形態の他の例について説明するための特性図である。
【図１２】この発明が適用された第３の実施形態の他の例について説明するための特性図である。
【図１３】この発明が適用された第４の実施形態について説明するための特性図である。
【図１４】この発明が適用された第４の実施形態について説明するための特性図である。
【図１５】この発明が適用された第４の実施形態について説明するためのフローチャートである。
【図１６】この発明が適用された第５の実施形態について説明するための特性図である。
【図１７】この発明の実施形態に適用されるＡＣアダプタから出力する電圧を変化させる一例について説明するための回路図である。
【図１８】この発明の実施形態に適用されるＡＣアダプタから出力する電圧を変化させる一例について説明するための特性図である。
【図１９】この発明の実施形態に適用されるＡＣアダプタから出力する電圧をデジタル的に変化させる第１の例について説明するための回路図である。
【図２０】この発明の実施形態に適用されるＡＣアダプタから出力する電圧をデジタル的に変化させる第２の例について説明するための回路図である。
【図２１】この発明の実施形態に適用されるＡＣアダプタから出力する電圧をアナログ的に変化させる第１の例について説明するための回路図である。
【図２２】この発明の実施形態に適用されるＡＣアダプタから出力する電圧をアナログ的に変化させる第２の例について説明するための回路図である。
【図２３】従来のＡＣアダプタについて説明するためのブロック図である。
【符号の説明】
１・・・電源部、２、１３・・・電流検出回路、３、１４・・・抵抗、４、１１・・・電圧検出回路、５・・・計算回路、６・・・制御回路、７、８・・・内部抵抗、１２・・・スイッチ回路、１５・・・電子機器の負荷
【図１】
2004343865.tif 000003
【図２】
2004343865.tif 000004
【図３】
2004343865.tif 000005
【図４】
2004343865.tif 000006
【図５】
2004343865.tif 000007
【図６】
2004343865.tif 000008
【図７】
2004343865.tif 000009
【図８】
2004343865.tif 000010
【図９】
2004343865.tif 000011
【図１０】
2004343865.tif 000012
【図１１】
2004343865.tif 000013
【図１２】
2004343865.tif 000014
【図１３】
2004343865.tif 000015
【図１４】
2004343865.tif 000016
【図１５】
2004343865.tif 000017
【図１６】
2004343865.tif 000018
【図１７】
2004343865.tif 000019
【図１８】
2004343865.tif 000020
【図１９】
2004343865.tif 000021
【図２０】
2004343865.tif 000022
【図２１】
2004343865.tif 000023
【図２２】
2004343865.tif 000024
【図２３】
2004343865.tif 000025